(57)【特許請求の範囲】
【請求項１】
拡散スペクトラム信号をデコードする装置であって：
前記拡散スペクトラム信号のスペクトラムをデスプレッドするデスプレッド信号を生成する手段（２７）と；
前記デスプレッド信号の所定の周波数を減衰して、ノッチ付きのデスプレッド信号を生成するノッチフィルタ手段（２６）と、
前記拡散スペクトラム信号をデスプレッドすること、及び前記拡散スペクトラム信号の前記所定の周波数を減衰することとが同時に行われるように、前記ノッチ付きのデスプレッド信号を使用して前記拡散スペクトラム信号の前記スペクトラムをデスプレッドする手段（２５）と；
前記拡散スペクトラム信号をダウン変換して、より低い周波数の信号を生成する手段（１８）と；を含み、
前記デスプレッドする手段が、ダウン変換前に前記拡散スペクトル信号の前記所定の周波数をデスプレッドして減衰させるように接続されている装置。
【請求項２】
拡散スペクトラム信号をデコードする装置（３３）であって、
前記拡散スペクトラム信号のスペクトラムをデスプレッドするデスプレッド信号を生成する手段（２７）と；
前記デスプレッド信号の所定の周波数を減衰して、ノッチ付きのデスプレッド信号を供給するように接続された減衰手段（２６）とを含み；
前記ノッチ付きのデスプレッド信号をローカルオシレータ（３４）からの信号と混合して、アップ変換されたノッチ付きのデスプレッド信号を供給するように接続された第１の混合手段（２８）と；
前記拡散スペクトラム信号が減衰され、デスプレッドされかつダウン変換されることが同時に行われるように、前記アップ変換されたノッチ付きのデスプレッド信号を前記拡散スペクトラム信号と混合するように接続された第２の混合手段（２９）とをさらに含む装置（33）。
【請求項３】
前記ノッチフィルタ手段（２６）により減衰する前に、前記デスプレッド信号を中間周波数に変換するように動作可能な第３の混合手段（５０，５１）を更に含む請求項２に記載の装置。
【請求項４】
送信チャンネルを経由して送られた拡散スペクトラム信号をデコードする装置であって、前記拡散スペクトラム信号が求めている拡散スペクトラム信号成分と求めていない狭帯域信号成分とを含み、前記狭帯域信号がエラー修正能力をもつコーディング方式を使用してコード化され、
狭帯域信号減算器を含む前記装置が、
狭帯域信号コーディング方式にしたがって複合信号をデコードし、修正して、デコードされた狭帯域信号を供給する手段（４２）と；
前記送信チャンネルの振幅および位相特性を推定する手段（４３）と；
前記狭帯域信号コーディング方式にしたがってデコードされ修正された信号をコード化して、推定した狭帯域信号を供給する手段（４４）と；
推定した振幅および位相特性にしたがって前記推定した狭帯域信号の位相および振幅を調節して、調節された信号を生成する手段（４５）と；
受取られた複合信号から前記調節された信号を減算して、拡散スペクトラム信号成分の推定値を供給する手段（４６）と、
推定された拡散スペクトラム信号成分をデスプレッドする手段（２１）と、
を含む装置。
【請求項５】
狭帯域信号成分に対応する信号の周波数を減衰する手段を更に含み、
前記狭帯域コーディング方式は修正できないエラーを検出することができ、前記供給する手段（４４）が修正できないエラーを検出する際に前記減算を抑制するようにされていて、
前記供給する手段（４４）が修正できないエラーを検出する際に前記減衰する手段を使用するようにされている請求項４記載の装置。
【請求項６】
拡散スペクトラム信号をデコードする方法であって：
前記拡散スペクトラム信号のスペクトラムをデスプレッドするデスプレッド信号を生成する段階と；
前記デスプレッド信号の所定の周波数を減衰して、ノッチ付きのデスプレッド信号を生成する段階と；
前記拡散スペクトラム信号をデスプレッドすること、及び前記拡散スペクトラム信号の前記所定の周波数を減衰することとが同時に行われるように、ノッチ付きのデスプレッド信号を使用して前記拡散スペクトラム信号のスペクトラムをデスプレッドする段階と；
前記拡散スペクトラム信号をダウン変換して、より低い周波数の信号を生成する段階と；を含み；
ダウン変換前に前記拡散スペクトラム信号のデスプレッドと、前記拡散スペクトラム信号の所定の周波数の減衰とを行なう方法。
【請求項７】
拡散スペクトラム信号をデコードする方法であって、
前記拡散スペクトラム信号のスペクトラムをデスプレッドするデスプレッド信号を生成する段階と；
前記デスプレッド信号の所定の周波数を減衰して、ノッチ付きのデスプレッド信号を供給する段階とを含み；さらに、
前記ノッチ付きのデスプレッド信号をローカルオシレータからの信号と混合して、アップ変換されたノッチ付きのデスプレッド信号を供給する段階と；
前記拡散スペクトラム信号が同時に減衰され、デスプレッドされ、ダウン変換されるように、前記アップ変換されたノッチ付きのデスプレッド信号を前記拡散スペクトラム信号と混合する段階とをさらに含むことを特徴とする方法。
【請求項８】
送信チャンネルを経由して送られた拡散スペクトラム信号をデコードする方法であって、前記拡散スペクトラム信号が求めている拡散スペクトラム信号成分と求めていない狭帯域信号成分とを含み、狭帯域信号がエラー修正能力をもつコーディング方式を使用してコード化され、
狭帯域信号減算を含む前記方法が、
狭帯域信号コーディング方式にしたがって複合信号をデコードし、修正して、デコードされた狭帯域信号を供給する段階と；
前記送信チャンネルの振幅および位相特性を推定する段階と；
前記狭帯域信号コーディング方式にしたがってデコードされた修正された信号をコード化して、推定した狭帯域信号を供給する段階と；
推定した振幅および位相特性にしたがって推定された狭帯域信号の位相および振幅を調整して、調整された信号を生成する段階と；
受取られた複合信号から前記調節された信号を減算して、拡散スペクトラム信号成分の推定値を供給する段階と；
推定された拡散スペクトラム信号成分をデスプレッドする段階と；
を含む方法。
【請求項９】
前記狭帯域コーディング方式が修正できないエラーを検出することができ、
修正できないエラーを検出する際に、狭帯域信号を減算する段階が省かれ、かつ狭帯域信号成分に対応する信号の周波数を減衰する段階が実行される請求項８記載の方法。
【発明の詳細な説明】
【０００１】
発明の属する技術分野
本発明は、複数の信号源においてその信号源の２つが互いに異なるコーディング機構を使用している信号源からの信号の混合を含む信号を受取る受信機に関する。とくに本発明は拡散（スプレッド）スペクトラム信号を受信する受信機に関し、該拡散スペクトラム信号には好ましくない狭帯域信号、例えばグループスペシャルモバイル（ＧＳＭ）ＥＴＳＩ規格コーディングを使用する信号源および符号分割多重アクセス（ＣＤＭＡ）コーディングを使用する信号源からの信号の混合を構成する無線信号を含む。
【０００２】
従来の技術
最近では、無線スペクトラムの使用を要求するシステムおよびサービスに対する要求は現在のシステムの容量をはるかに上回っている。したがって将来のシステムは、相当に向上したスペクトル効率を与えなければならない。提案されている１つの技術では、広帯域拡散スペクトラム信号が従来の狭帯域信号と共通のスペクトラムを共有することができるようにする。
【０００３】
拡散スペクトラム信号は、情報を信号として送るのに必要な最小帯域幅を超えた帯域幅を使用している。拡散スペクトラム信号を生成する１つの方法は、疑似ランダムノイズ変調（または直接シーケンス変調）として知られている。信号のスペクトラムは、送信機において拡散コードを使用して拡散される。対応する受信機は同じコードを使用して、スペクトラムをデスプレッド(despread、解拡散)する。スペクトラムをデスプレッドして送信元のデータ信号を再生成するのに使用される技術では、送信機によって使用される拡散コードと相関関係にない他の信号のスペクトラムを拡散することができる。通常のように、（異なるコードを使用している）異なる資源からの幾つかの広帯域信号が同じ周波数スペクトラムを共有する場合は、この技術は符号分割多重アクセス（ＣＤＭＡ）として知られている。
【０００４】
送信された狭帯域信号のパワースペクトル密度(power spectral density)は一般に、送信された広帯域信号のパワースペクトル密度と比較して高い。狭帯域信号受信機では、広帯域信号は狭帯域信号において干渉を生成する。同じく、結合された受信信号が拡散スペクトラム受信機によってひとたびデコードされると、狭帯域信号はデコードされた拡散スペクトラム信号について干渉を生じさせる。
【０００５】
狭帯域信号と広帯域信号との間の干渉を低減するのに使用された１つの方法では、拡散スペクトラム送信機および受信機において対応するフィルタを使用して、狭帯域信号によって使用されるこれらの周波数を減衰する。拡散スペクトル送信機内のノッチフィルタは広帯域信号から狭帯域信号における干渉を低減する。拡散スペクトラム受信機内の対応するノッチフィルタは、スペクトラムをデスプレッドして、拡散スペクトラム信号をデコードする前に、狭帯域信号によって使用される周波数を減衰する。
【０００６】
このような技術を使用してクロス信号干渉を低減することには問題がある。狭帯域信号によって使用される帯域外の減衰フィルタによって取除かれる信号を最小にするために、非常に鋭いカットオフをもつフィルタが必要とされる。
【０００７】
しかしながら、ＧＳＭセルラネットワークのようなシステムでは、隣接するセルは異なる周波数を使用する送信機をもつ。したがって受信機は何れの送信機が使用されているかにしたがって異なる周波数帯域幅を受取ることを要求される。これらの狭帯域周波数を減衰するのに必要とされるフィルタは、プログラマブルであることが要求される。プログラマブルフィルタは、高次の有限インパルス応答（ＦＩＲ）フィルタの使用を含むディジタルハードウエアで最も容易に目的が達成される。このようなフィルタは現在、最大値が数十メガヘルツの信号でのみ動作するので、ベースバンドにおけるこのようなフィルタ処理を実行するのに最も好都合である。
【０００８】
MilsteinおよびSchillingの文献（“The CDMA Overlay Concept”, International Symposium on Spread Spectrum Technoligies and Applications 1996）では、ノッチフィルタを使用する拡散スペクトラム送信機および受信機を開示している。受信機は、ベースバンドでデスプレッドするのと同時にフィルタ処理を実行する。
【０００９】
狭帯域信号によって使用される周波数を減衰する前の信号に対する非線形の歪みは、狭帯域周波数範囲内の信号がその範囲外でノイズを取入れてしまうことを意味する。狭帯域信号のパワースペクトル密度は一般的に、広帯域信号のパワースペクトル密度よりも何十ｄＢも高い。無線周波数受信機とフィルタとの間の成分は、このような非線形の歪みによって残りの広帯域信号へ取入れられたノイズを最小にするために、非常に大きいダイナミック範囲をもたなければならない。
【００１０】
非線形コーディング方法を使用して、このような成分のダイナミック範囲を増加して、低レベルの広帯域信号における問題を解決する。
【００１１】
したがって減衰フィルタを使用する既知のシステムにおける問題は、ベースバンドでフィルタ処理を実行するには、フィルタ処理段階前の成分が非常に大きいダイナミック範囲をもつことが必要であるが、現在使用可能なディジタルプログラマブルフィルタを使用して高周波数でフィルタ処理することは不可能なことである。
【００１２】
発明が解決しようとする課題
本発明にしたがって、拡散スペクトラム信号をデコードする装置であって：
信号のスペクトラムをデスプレッドするデスプレッド信号を生成する手段と；
デスプレッド信号を使用して信号のスペクトラムをデスプレッドする手段と；
信号をダウン変換して、より低い周波数の信号を生成する手段と；
信号の所定の周波数を減衰する手段とを含み；
ダウン変換する前に拡散スペクトル信号をデスプレッドするようにデスプレッド手段が接続され、ダウン変換する前に拡散スペクトル信号の所定の周波数を減衰するように減衰手段が接続されている装置を提供する。
【００１３】
好ましいのは、受信信号は、拡散スペクトラム信号成分および狭帯域信号成分を含む複合信号であり、該狭帯域信号成分は拡散スペクトラム信号成分よりもはるかに高いパワースペクトル密度をもち（周波数差から１４ないし６０ｄＢを意図している）、狭帯域信号成分は減衰された周波数をもつことである。選択的にスペクトラムは疑似ノイズコードを使用してデスプレッドされる。
【００１４】
都合よいのは、減衰手段は、デスプレッド信号の所定の周波数を減衰するように接続されていて、生成されたノッチ付きのデスプレッド信号は同時にスプレッドスペクトラム信号をデスプレッドし、スプレッドスペクトラム信号の所定の周波数を減衰するように接続されることである。
【００１５】
本発明の別の態様にしたがって、拡散スペクトラム信号をデコードする装置であって、信号のスペクトラムをデスプレッドするデスプレッド信号を生成する手段と；デスプレッド信号の所定の周波数を減衰して、ノッチ付きのデスプレッド信号を供給するように接続された減衰手段とを含み；ノッチ付きのデスプレッド信号をローカルオシレータからの信号と混合するように接続され、アップ変換されたノッチ付きのデスプレッド信号を供給するように接続された混合手段と；アップ変換されたノッチ付きのデスプレッド信号を拡散スペクトラム信号と混合するように接続された混合手段とをさらに含むことを特徴とする装置を提供する。
【００１６】
本発明の別の態様にしたがって、送信チャンネルを経由して送られた拡散スペクトラム信号をデコードする装置であって、前記信号が求めている拡散スペクトラム信号成分と求めていない狭帯域信号成分とを含み、狭帯域信号がエラー修正能力をもつコーディング方式を使用してコード化され、前記装置が狭帯域信号減算器を含み、該狭帯域信号減算器が、
狭帯域信号コーディング方式にしたがって複合信号をデコードし、修正して、デコードされた狭帯域信号を供給する手段と；
送信チャンネルの振幅および位相特性を推定する手段と；
狭帯域信号コーディング方式にしたがってデコードされた修正された信号をコード化して、推定した狭帯域信号を供給する手段と；
推定した振幅および位相特徴にしたがって推定の狭帯域信号の位相および振幅を調節する手段と；
受取られた複合信号から調節された信号を減算して、拡散スペクトラム信号成分の推定値を供給する手段とを含む装置を提供する。
【００１７】
好ましいのは、狭帯域コーディング方式ではさらに修正できないエラーを検出することができ、デコーディング手段が修正できないエラーを検出する際に前記減算を抑制するようにされていることである。
【００１８】
別の実施形態ではさらに、狭帯域信号成分に対応する信号の周波数を減衰する手段がさらに含まれ、デコーディング手段が修正できないエラーの検出の際に減衰手段を使用するようにされている。
【００１９】
拡散スペクトラム信号をデコードするための対応する方法も提供される。
【００２０】
本発明の実施形態を添付の図面を参照して例示的に記載することにする。
【００２１】
発明の実施の形態
図１では、狭帯域信号２を送信する狭帯域信号送信機１と、広帯域信号４を送信する広帯域送信機３とが示してある。広帯域送信機および狭帯域送信機は加算器５に接続されている。広帯域信号および狭帯域信号は加算器５において加算され、複合信号６を生成する。もちろん、異なる位置において異なる送信機を使用することができ、本発明に関する限りその効果は同じである。複合信号は広帯域信号デコーダ８によって受信され、信号はデコードされ、新しい複合信号９を生成する。もとの広帯域信号４のスペクトラムがデコーダによってデスプレッドされ、新しい複合信号９のデコードされた信号成分４’を生成し、もとの狭帯域信号２のスペクトラムは新しい複合信号９の新しい構成要素２’を生成するように拡散される。新しい複合信号９は、デコードされた帯域信号４’におけるキャリア対干渉比10をもつ。
【００２２】
狭帯域信号に関する限り、複合信号６はキャリア対干渉比７をもつ。狭帯域信号２におけるキャリア対干渉比を増加するために、ノッチフィルタを広帯域信号送信機３内に挿入して、狭帯域信号によって使用される周波数を減衰してもよい。このようなノッチフィルタは、広帯域信号によって狭帯域信号に対して生じた干渉を低減することになる。図２は、ノッチフィルタ12に接続されたエンコーダ11を含む既知の広帯域信号送信機15を示し、次にノッチフィルタ12は変調器16およびアップコンバータ17に接続される。ノッチフィルタ12を使用して広帯域信号13をフィルタ処理して、ノッチ付きの信号14を生成し、ノッチ付きの信号14は変調され、アップ変換されて、次に加算器５において狭帯域信号２と合計される。ここでも異なる位置における異なる送信機を使用するとしても、本発明に与える実質的な効果はない。
【００２３】
デスプレッド広帯域信号４’におけるキャリア対干渉比10を増加するために、ノッチフィルタを広帯域信号デコーダ８へ挿入して、狭帯域信号によって使用される周波数を減衰してもよい。図３ａは従来の拡散スペクトラム信号受信機のブロック図を示しており、この拡散スペクトラム信号受信機は受信機増幅器23を含み、受信機増幅器23は広帯域信号デコーダ８に接続され、広帯域信号デコーダ８においてダウンコンバータ18、復調器19、およびデスプレッダ21は直列に接続されている。もちろん復調はデスプレッドする前に行っても、後に行ってもよい。図３ｂは広帯域信号デコーダ30の別の実施形態を示しており、ここではノッチフィルタ20はデスプレッダ21の前に使用される。広帯域信号から取除かれたスペクトラムを最小にするために、非常に鋭いカットオフをもつノッチフィルタが必要とされる。
【００２４】
データ信号をコーディングして、拡散スペクトラム信号を生成する1つの方法では、情報のビットを、‘チップ’として知られている時間のより小さいインクリメントに細分する。これらのチップは、疑似ノイズコードをデータ信号へ加えることによって生成される。図４は、７つのビット疑似ノイズコードを使用してエンコードされるディジタル信号を示す。実際の構成では、疑似ノイズコードは、これよりもはるかに長くなる。疑似ノイズコードは特定の数学的特性に基いて選択され、したがってコード化された信号は幾分ノイズ状に見える。何れの疑似ノイズコードがデータ信号に加えられたかが分かっている対応するデコーダを使用して、スプレッドスペクトラム信号のスペクトラムをデスプレッドして、元のデータ信号を検索する。
【００２５】
図３ａに示したようにベースバンドにおいて信号をデスプレッドする欠点は、ダウンコンバータ18またはデモジュレータ19によって信号に加えられるノイズが干渉を生成することである。理論上は、図５に示したようにダウン変換前に受信した信号をデスプレッドすることができる。広帯域信号デコーダ31において、デスプレッド信号９のより狭帯域内のノイズのみ（図１参照）が干渉を生成し、このような干渉の結果は元の広帯域信号よりもはるかに高いパワースペクトラム密度をもつ。しかしながら狭帯域信号２から干渉を低減するために（図１参照）、図３ｂに示したように、デスプレッド段階前に抑制フィルタが要求され、現在は必要とされる高周波数で動作する非常に鋭いカットオフを備えたプログラマブルディジタルノッチフィルタを構成することはできない。
【００２６】
ダウン変換および復調前にフィルタ処理を行うことが効果的である。その理由は、そのときにフィルタ前に信号を処理する構成要素のみが、非線形であることによってもたらされるノイズを避けるのに要求される大きいダイナミック範囲を必要とするからである。図６はこのような受信機における仮定の構造を示しているが、既に記載したようにこのような構造は現在使用可能なハードウエア内でプログラマブルディジタルフィルタを使用して実現できない。アナログフィルタを使用する構成は、要求されたフィルタが使用可能なバンクから選択されると仮定すると可能となる、かつかさばってしまう。
【００２７】
図７は、信号のデスプレッドおよびフィルタ処理が一緒に行われる拡散スペクトラム信号受信機のブロック図を示している。このような構成は上述の両方の長所をもち、すなわちノイズの帯域幅は低減され、大きいダイナミック範囲を要求する唯一の構成要素は受信機増幅器23である。複合手段は、図８に示したように構成してもよい。ここではＰＮコード発生器27によって生成されたＰＮコードはディジタルプログラマブルノッチフィルタ26によってベースバンドでフィルタ処理される。次にフィルタ処理されたＰＮコードを使用して、ミキサ25を使用して到来信号をデスプレッドし、到来信号のデスプレッドおよびフィルタ処理が同時に受信周波数で達成される。信号は、ミキサ25によって混合された後に、バンドパスフィルタ35によってフィルタ処理され、増幅器36によって増幅される。
【００２８】
図９は、現在使用可能なハードウエアで実行できる改良形構造を示している。一つの高周波数入力と、一つの低周波数入力で動作するように最適化されているミキサは、例えば図８のミキサに求められているようなもので、普通は高パワーかつ高周波数の信号を必要とする。しかしながら図８に示した実施形態において、高周波数信号はアンテナからの低パワー信号である。図９に示した実施形態では、ミキサ25は２つのミキサ28、29、およびローカルオシレータ39によって置換されている。したがってミキサ28はローカルオシレータ34から高パワー信号を受取り、ローカルオシレータ34は、ノッチフィルタ26から受取ったフィルタ処理されたＰＮコードと混合される。次にこの高パワー信号は、アンテナ増幅器23から受取られた低パワー信号と混合される。この構成では、受取られた信号は同時にフィルタ処理、ダウン変換、およびデスプレッドされるので、ダウンコンバータ18を省いてもよく、または別のダウン変換が要求されるときは、ダウンコンバータ18を保持してもよい。ミキサ28およびミキサ29は単一のミキサと置換してもよい。
【００２９】
図９ａに示した構成において、ミキサ28によって生成された信号は中心周波数（Ｆｃ）に関して対称であり、{Ｆｃ±（減衰ノッチフィルタ26によって減衰された周波数）}において減衰された周波数の２つの範囲をもつ。この結果、必要なスペクトラム量の２倍が必要となる。別のアップ変換段階50、51が図９ａに示したように使用されるとき、ＰＮコードはノッチフィルタ28の動作範囲内で中間周波数にアップ変換され、ミキサ28によって生成された信号は減衰された周波数の一方の範囲のみをもつ。
【００３０】
図１０は、いくつかのエラー修正能力をもつコーディング方式を使用してコード化された高パワー狭帯域信号成分；および低パワー拡散スペクトラム信号成分を含む複合信号をデコードする別の受信機39のブロックダイヤグラムを示す。狭帯域信号減算器40は、拡散スペクトラム信号成分をデスプレッドする前に高パワー狭帯域信号を取除く。狭帯域信号減算器40において、複合信号は狭帯域信号コーディング方式にしたがってデコードされ、低レベルの拡散スペクトラム信号の結果として狭帯域信号へ導入されるエラーはこの段階で修正され、複合信号から生成された狭帯域信号の推定値が減算されて、その結果送信された拡散スペクトラム信号の適切な推定値である広帯域信号となる。明らかに受信機39は、狭帯域周波数範囲内の周波数が図２の送信機によって減衰されなかった信号を受信するのに好都合である。
【００３１】
ダウン変換および復調後に狭帯域信号の減算を実行することができる。しかしながら狭帯域信号の減算がダウン変換および復調前に行われたとき、既に記載したように、受信機増幅器23は大きいダイナミック範囲をもつ必要があるという長所がある。
【００３２】
図１１は、狭帯域信号がＧＳＭを使用してコード化されるときの狭帯域信号減算器40の実施形態を示す。受信した複合信号はＧＳＭ復調器42によって復調される。ＧＳＭ復調器42は要求されるように順方向エラー修正およびデインターリービングを含む。復調エラー修正を行っている間、拡散スペクトラム信号成分によって導き出されるエラーの一部および全部を取除く。復調された修正信号は、ＧＳＭ変調器44によって変調され、送信されたＧＳＭ信号の推定を生成する。ＧＳＭ変調器は順方向エラー修正ビットを供給し、必要なときはインターリーブする。変調および復調段階と並行して、受信された複合信号はＧＳＭチャンネル推定器43によって処理される。これは、位相および振幅変化と、送信チャンネルによって導入される多重通路遅延の推定値とを与える。これらの推定値を使用して、逆等化器45によって推定された信号の位相および振幅を調節する。この調節された信号は、受信した遅延された複合信号から減算器46によって減算される。遅延素子41は、素子42、44、45、および43によって導入された遅延を補償する。ＧＳＭ復調器42、ＧＳＭ変調器44、およびＧＳＭチャンネル推定器43は、一般的に使用可能な標準のＧＳＭマイクロチップを使用して構成することができる。逆等化器45はプログラマブルディジタルフィルタを使用して構成してもよい。
【００３３】
実際にはこれは受取られた周波数よりも低い周波数で逆等化を行うことが必要とされることもあり、この場合にＧＳＭ変調器44内に含まれるアップ変換は、逆等化器45において逆等化を行った後に行われる。
【００３４】
図１２は、狭帯域信号コーディング方式において、修正できないエラーを検出できるときに使用可能な改良形の狭帯域信号減算器40’のブロック図を示す。修正できないエラーが復調器42によって検出されるときは、出力50を使用してスイッチ51を制御し、減算器46では狭帯域信号の減算は行わない。
【００３５】
図１３は、別の実施形態のブロックダイヤグラムを示しており、狭帯域信号減算器40’’は、デスプレッダ21（図１０参照）と置換した改良形受信機である統合形のデスプレッダおよびノッチフィルタ24’’に接続されている。この実施形態では、出力50を使用して、狭帯域信号減算をバイパスするのにスイッチ51を制御し、ノッチフィルタ26をバイパスするか否かを制御するのにスイッチ52を制御する。修正できないエラーが検出されるとき、狭帯域信号減算はバイパスされ、その代わりにノッチフィルタが使用される。
【図面の簡単な説明】
【図１】  高パワースペクトル密度狭帯域信号および低パワースペクトル密度広帯域信号におけるキャリア対干渉比を示す図。
【図２】  送信された広帯域信号において周波数を減衰するノッチフィルタを使用する既知の複合信号送信機のブロック図。
【図３】  従来の拡散スペクトラム信号のブロック図（図３ａ）、および受信された広帯域信号の周波数を減衰する抑制フィルタをもつ既知の拡散スペクトラム信号受信機のブロック図（図３ｂ）。
【図４】  7ビットの疑似ノイズコードを使用してコード化されるデータ信号を示す図。
【図５】  ダウン変換前に信号をデスプレッドする可能な受信機構造を示す図。
【図６】  信号のダウン変換前に受信された信号の所定の周波数を減衰するノッチフィルタを使用する仮の受信機を示す図。
【図７】  本発明の１つの実施形態にしたがってダウン変換前の信号のデスプレッドおよびフィルタ処理を統合した受信機を示す図。
【図８】  本発明の実施形態にしたがって統合形のデスプレッドおよびフィルタ処理手段を示す図。
【図９】  本発明の実施形態にしたがう統合形のデスプレッドおよびフィルタ処理手段を示す図（図９ａ）、および本発明の別の実施形態にしたがう統合形のデスプレッド、フィルタ処理、およびダウン変換手段を示す図（図９ｂ）。
【図１０】  本発明の実施形態にしたがう狭帯域信号減算器をもつ受信機を示す図。
【図１１】  狭帯域信号減算器の詳細を示す図。
【図１２】  修正できないエラーが検出されたときに推定した狭帯域信号を減算しないより精巧な狭帯域信号を示す図。
【図１３】  修正できないエラーが検出されたときに推定の狭帯域信号が減算されず、ノッチフィルタがこれらの環境のもとで使用される本発明の実施形態を示す図。
【図１】
0004194755.tif 000002
【図２】
0004194755.tif 000003
【図３】
0004194755.tif 000004
【図４】
0004194755.tif 000005
【図５】
0004194755.tif 000006
【図６】
0004194755.tif 000007
【図７】
0004194755.tif 000008
【図８】
0004194755.tif 000009
【図９】
0004194755.tif 000010
【図１０】
0004194755.tif 000011
【図１１】
0004194755.tif 000012
【図１２】
0004194755.tif 000013
【図１３】
0004194755.tif 000014